(57)【特許請求の範囲】
【請求項１】
照明器具と人感センサと外光センサとを備え、前記人感センサが人体を検知してから一定の点灯保持時間だけ前記照明器具を点灯保持する照明装置において、前記点灯保持時間は、前記照明器具の設置場所に応じて設定されるものであるとともに、前記点灯保持時間は、外光センサのレベルに応じて決定されることを特徴とする照明装置。
【請求項２】
前記点灯保持時間は、時刻に応じて変化するものであることを特徴とする請求項１に記載の照明装置。
【請求項３】
前記照明器具は、照明制御エリアで検知される人体の数をカウントし記憶する手段を備えたことを特徴とする請求項１乃至請求項２のいずれかに記載の照明装置。
【発明の詳細な説明】
【０００１】
【発明の属する利用分野】
本発明は、照明装置に関するものであり、更に詳しくは、人感センサと外光センサとを備え、省エネと快適性とを目的とし、オフィスなどの閉空間に存在する照明器具を制御する照明装置に関する。
【０００２】
【従来の技術】
従来、人体が検知されなくなってから所定時間後に照明器具をＯＦＦしたり、所定時間（以下、点灯保持時間と呼ぶ。）を自分で設定可能な照明装置があった（例えば、実開昭６３−１２８６９７号公報、実開平１−１０４６９７号公報、実開昭６３−１６２４９８号公報：以上、本発明に係る第１従来例）。これらの方式では、点灯保持時間が予め設定されていたため、人を再検知するまで一定時間点灯保持するので、時として無駄な電力を消費することになってしまう、一方、点灯保持時間を短くすると消えて欲しくない時に消えてしまい、周囲に不快感を与えてしまう、という第１の問題点が発生する。
【０００３】
上記第１の問題点を解決する手段として、特開平７−３１２２９５号公報（本発明に係る第２従来例）に示したものがあり、それは、人がいなくなってから再び現れるまでの時間が長いと点灯保持時間を短く、逆に人がいなくなってから再び現れるまでの時間が短いと点灯保持時間を長くするものである。
【０００４】
【発明が解決しようとする課題】
しかし、上記第２従来例では、センサ検知頻度が少なくセンサ検知間隔が長くても、場所によってはすぐに消えて欲しくないような場合、あるいは、センサ検知間隔が短くても、場所によってはすぐに消えて欲しいような場合は、使用者の要求に応じた制御が難しくなる、という第２の問題点が生じてしまう。
【０００５】
本発明は、上記全ての問題点に鑑みてなされたものであり、その目的とするところは、センサ検知頻度、センサ検知間隔によらず、場所に応じた点灯保持時間の設定が可能で、より快適に照明制御可能な照明装置を提供することである。
【０００６】
【課題を解決するための手段】
上記問題点を解決するために、請求項１記載の発明によれば、照明器具と人感センサと外光センサとを備え、人感センサが人体を検知してから一定の点灯保持時間だけ照明器具を点灯保持する照明装置において、点灯保持時間は、照明器具の設置場所に応じて設定されるものであるとともに、点灯保持時間は、外光センサのレベルに応じて決定されることを特徴とする。
【０００７】
請求項２記載の発明によれば、点灯保持時間は、時刻に応じて変化するものであることを特徴とする。
【０００８】
請求項３記載の発明によれば、照明器具は、照明制御エリアで検知される人体の数をカウントし記憶する手段を備えたことを特徴とする。
【０００９】
請求項４記載の発明によれば、点灯保持時間は、時刻に応じて変化するものであることを特徴とする。
【００１０】
請求項５記載の発明によれば、照明器具は、照明制御エリアで検知される人体の数をカウントし記憶する手段を備えたことを特徴とする。
【００１２】
【実施の形態】
（参考である実施の形態１）本発明の参考である第１の実施の形態のブロック構成図を図１に、照明器具の具体的なブロック構成図を図２に、照明器具の配置図を図３に、フローチャートを図４に、動作波形図を図５に示す。
【００１３】
図１において、１、２の各々は同一伝送線９上に接続された照明器具群であり、３は、各々の照明器具を制御する照明制御装置である。また、図２に示す様に、照明器具は、人感センサ４と、伝送Ｉ／Ｆ５と、信号処理部６と、点灯制御部７と、ランプ８とから構成される。ここでは、図３に示す様に、上述の様な照明器具群が一定の閉空間に配置されているとする。なお、図３に示す閉空間は、執務部Ａと、通路や打ち合せスペース等のある共用部Ｂとから構成されるものとし、照明器具Ｌ２〜Ｌ５、Ｌ７〜Ｌ１０、Ｌ１７〜Ｌ２０、Ｌ２２〜Ｌ２５は執務部Ａに、照明器具Ｌ１、Ｌ６、Ｌ１１〜Ｌ１６、Ｌ２１は共用部Ｂに配置されている。
【００１４】
以下、図１、図２、図４を用いて、動作を簡単に説明する。
或る照明器具の照明制御エリアに人が存在する場合、人感センサ４が人の存在を検知し、その情報を信号処理部６へ送る。伝送Ｉ／Ｆ５にて、この情報と器具アドレスとを伝送信号に変換し、伝送線９を介して照明制御装置３へ伝送する。照明制御装置３は伝送信号を読み、伝送線９を介して各照明器具側へ該当器具アドレスと点灯信号とを伝送する。該当器具アドレスを有する照明器具だけが伝送Ｉ／Ｆ５で読み取り、信号処理部６、点灯制御部７を介してランプ８が点灯する。
【００１５】
次に、該照明制御エリアから人がいなくなった場合、人感センサ４が人の存在が無いことを検知し、その情報を信号処理部６へ送る。伝送Ｉ／Ｆ５にて、この情報と器具アドレスとを伝送信号に変換し、伝送線９を介して照明制御装置３へ伝送する。照明制御装置３は伝送信号を読み、器具アドレス及び予め記憶している設置場所と器具アドレスデータとを対比し、該当器具アドレスを判断する。例えば、その照明器具が共用部Ｂという特定場所に位置すると判断する場合は、点灯保持時間を決定するタイマ値をＴ１まで、それ以外はタイマ値をＴ１より短いＴ２に設定し、タイマカウントする。タイマカウントアップ後、照明制御装置３は、伝送線９を介して照明器具側へ該当器具アドレスと消灯信号とを伝送する。
【００１６】
以上の様に動作することにより、共用部Ｂの様に、比較的人の動きのある場所での、センサ不検知による照明器具の点滅頻度を減らし、より快適な環境を作り出すことができる。（図５参照）また、各々の照明器具は、器具アドレスを有しているので、図６に示す様に、レイアウト変更などで照明器具の属する照明制御エリア（執務部Ａと共用部Ｂ）が変更になっても、簡単に設定変更が可能であり、どんな配置でも対応が可能となる。
【００１７】
（実施の形態２）
本発明に係る第２の実施の形態のブロック構成図を図７に、照明器具の配置図を図８に、フローチャートを図９に示す。
【００１８】
図１に示した第１の実施の形態と異なる点は、外光センサ１１を設けたことであり、その他の第１の実施の形態と同一構成には同一符号を付すことにより説明を省略する。
【００１９】
本実施の形態は、外光センサ１１を利用し外光が入射される照明制御エリアＤに位置する照明器具に関して、人感センサの検知後の制御動作を変化させようとするものであり、例えば、図８に示す様に、窓際にある照明器具Ｌ１〜５の人感センサ不検知後の点灯保持時間を他の器具に比べ短くする。
【００２０】
以下、図９に示すフローチャートを用いて動作を簡単に説明する。
該照明制御エリアから人がいなくなった場合、人感センサ４が人の存在が無いことを検知し、その情報を信号処理部６へ送る。伝送Ｉ／Ｆ５にて、この情報と器具アドレスとを伝送信号に変換し、伝送線９を介して照明制御装置３へ伝送する。照明制御装置３は伝送信号を読み、器具アドレス及び予め記憶している設置場所と器具アドレスデータとを対比し、該当器具アドレスを判断する。例えば、その照明器具が照明制御エリアＤ以外に位置する、つまり特定場所のアドレスでない、と判断する場合は、点灯保持時間を決定するタイマ値をＴ１までカウントする。その照明器具が照明制御エリアＤに位置する場合は、外光センサ１１のレベルに応じて判断する。外光センサ１１のレベルがある一定値αより大きい場合、つまり照明制御エリアＤが非常に明るい場合は、点灯保持時間を決定するタイマ値をＴ１より短いＴ２までカウントし、外光センサ１１のレベルがある一定値α以下の場合はＴ１までカウントする。タイマカウントアップ後、照明制御装置３は、伝送線９を介して照明器具側へ該当器具アドレスと消灯信号とを伝送する。
【００２１】
以上の様に動作することにより、窓際の様な外光が多く入る可能性の高い場所では、人がいないとき、すぐに器具を消灯しても周辺には影響が少ないため、センサ不検知による器具の点灯保持時間を減らすことにより、より省エネルギー化が達成ができる。なお、人がいるとき、外光が多い窓際の点灯レベルは全点灯でも、調光点灯でもどちらでも良い。
【００２２】
（実施の形態３）
本発明に係る第３の実施の形態の照明器具の配置図を図１０に、フローチャートを図１１に示す。図１に示した第１の実施の形態とブロック構成は同一であり、動作のみが異なるだけであるので、第１の実施の形態と同一構成には同一符号を付すことにより説明を省略する。
【００２３】
本実施の形態は、複数の照明制御エリアに分かれている場合、具体的には、図１０に示す様な、人の数の多い照明制御エリアと人の数が少ない照明制御エリアとに分かれている場合に、人の数の多い照明制御エリアＥ、Ｇに有る器具ａ、ｂ、ｅ付近で、人が居なくなったことを検知してから直ぐに消灯すると周りに影響を及ぼし、反対に人の数が少ない照明制御エリアＦにある器具ｃ、ｄ付近で、人が居なくなったことを検知してから直ぐに消灯しても周りに影響を及ぼさないことを考慮して、点灯保持時間を変化させるようにしたものである。
【００２４】
図１１に示すフローチャートに従って動作を簡単に説明する。
該照明制御エリアから人がいなくなった場合、人感センサ４が人の存在が無いことを検知し、その情報を信号処理部６へ送る。伝送Ｉ／Ｆ５にて、この情報と器具アドレスとを伝送信号に変換し、伝送線９を介して照明制御装置３へ伝送する。照明制御装置３は伝送信号を読み、器具アドレス及び予め記憶している設置エリアと器具アドレスデータとを対比し、該当設置エリアを判断する。
【００２５】
次に、該当照明制御エリアの人感センサの動作数により、該当照明制御エリアの人の数の多さを判断する。人感センサの動作数ｎがある一定値βより大きい場合、つまり人が多い場合は、点灯保持時間を決定するタイマ値をＴ１までカウントし、人感センサの動作数ｎがある一定値β以下の場合はＴ１より短いＴ２までカウントする。タイマカウントアップ後、照明制御装置３は、伝送線９を介して照明器具側へ該当器具アドレスと消灯信号とを伝送する。
【００２６】
以上の様に構成したことにより、人が多い照明制御エリアでは、人がいないとき、なるべく器具点灯保持時間を長くし、センサ不検知による器具の頻繁の点滅に伴う照度変化を緩和でき、快適な空間を作り出せることができる。また、ランプの点滅頻度が少なくなりランプの点滅寿命の低下を防止できる。
【００２７】
（実施の形態４）
本発明に係る第４の実施の形態のブロック構成図を図１２に示す。
【００２８】
図１に示した第１の実施の形態と異なる点は、タイマ１２を設けたことであり、その他の第１の実施の形態と同一構成には同一符号を付すことにより説明を省略する。
【００２９】
本実施の形態は、複数の照明制御エリアに分かれている場合ｎｉ、照明制御エリアを判別し、タイマ１０により時刻あるいは時間帯を判別し、ある照明制御エリアの夜間などの特定の時間帯での照明器具の点灯保持時間を極力短くするものである。
【００３０】
（実施の形態５）
本発明に係る第５の実施の形態の要部の詳細なブロック構成図を図１３に、フローチャートを図１４に示す。
【００３１】
上記第１乃至第４の実施の形態と異なる点は、システムを構成せずに特定場所の点灯保持時間を変更する様に構成したことであり、その他の上記第１乃至第４の実施の形態と同一構成には同一符号を付すことにより説明を省略する。
【００３２】
本実施の形態では、図１３に示す様に、人感センサ４は、焦電センサ素子１３とアンプ部１４とから構成され、点灯制御部７は、レベル比較部１５とカウント部１６と出力保持部１７と設定変更部１８と比較判定部１９と点灯回路部２０とから構成される。
【００３３】
次に、図１４を参照して動作を簡単に説明する。
焦電センサ１１が人を検知するとアンプ部１４の出力レベルが高くなり、レベル比較部１５によってＨレベルの信号に変換される。その信号を受けて、出力保持部１７、点灯回路部２０を介してランプ８が点灯する。人感センサ４が不検知になると、レベル比較部１５の出力はＬレベルとなり、Ｌレベルとなった時点より出力保持部１７が動作し、ある一定時間Ｔだけランプ８が点灯保持する。また、カウント部１６と比較判定部１９と設定変更部１８とで、一定周期内での人感センサ４の動作回数をカウントする。ある照明制御エリアに人の出入りが多いと上記カウント数が多くなり、ある照明制御エリアに人の出入りが少ないと上記カウント数が少なくなる。該カウント数が一定値γを超えると、その情報が比較判定部１９から設定変更部１８に送られ、設定変更部１８にて点灯保持時間を長くするよう変更する。該カウント数が一定値γ以下になると、点灯保持時間は最初に設定したままとなる。
【００３４】
以上の様に構成したことにより、照明器具自身で照明制御エリアの人の数を自動的に学習することができ、よって、人の通りの多い場所においては消灯の時間を少なくすることができ、つまり、メモリ機能があるので自動的に状況の変化（人の数）に対応可能であり、快適性を増すことが可能となる。更に、特別な配線（制御線）を必要とせず、小型化が可能である。
【００３５】
なお、上記全ての実施の形態においては、人感センサ４は照明器具の内外のいずれの場所に設置しても構わない。また、複数の照明器具に一つの人感センサ４を用いる構成でも、各々の照明器具に対して人感センサ４を用いる構成でも構わない。更に、照度センサを付加しても良く、ランプは蛍光灯、白熱灯、ＨＩＤのいずれでも良く、人感センサは焦電型以外でも良い。更にまた、本装置は、上記全ての実施の形態に示す動作が可能な構成なら、どのような構成でも良い。
【００３６】
【発明の効果】
請求項１乃至請求項３に記載の発明によれば、センサ検知頻度、センサ検知間隔によらず、場所に応じた点灯保持時間の設定が可能で、より快適に照明制御可能な照明装置を提供できる。また窓際の様な外光が多く入る可能性の高い場所では、人がいないとき、すぐに器具を消灯しても周辺には影響が少ないため、センサ不検知による器具の点灯保持時間を減らすことにより、より省エネルギー化が達成ができる。
【図面の簡単な説明】
【図１】本発明の参考である第１の実施の形態のブロック構成図を示す。
【図２】上記実施の形態に係る照明器具の具体的なブロック構成図を示す。
【図３】上記実施の形態に係る照明器具の配置図を示す。
【図４】上記実施の形態に係るフローチャートを示す。
【図５】上記実施の形態に係る動作波形図を示す。
【図６】上記実施の形態に係る別の照明器具の配置図を示す。
【図７】本発明に係る第２の実施の形態のブロック構成図を示す。
【図８】上記実施の形態に係る照明器具の配置図を示す。
【図９】上記実施の形態に係るフローチャートを示す。
【図１０】本発明に係る第３の実施の形態の照明器具の配置図を示す。
【図１１】上記実施の形態に係るフローチャートを示す。
【図１２】本発明に係る第４の実施の形態のブロック構成図を示す。
【図１３】本発明に係る第５の実施の形態の要部の詳細なブロック構成図を示す。
【図１４】上記実施の形態に係るフローチャートを示す。
【符号の説明】
Ｌ    照明器具
４    人感センサ
【図１】
0003928219.tif 000002
【図２】
0003928219.tif 000003
【図３】
0003928219.tif 000004
【図４】
0003928219.tif 000005
【図５】
0003928219.tif 000006
【図６】
0003928219.tif 000007
【図７】
0003928219.tif 000008
【図８】
0003928219.tif 000009
【図９】
0003928219.tif 000010
【図１０】
0003928219.tif 000011
【図１１】
0003928219.tif 000012
【図１２】
0003928219.tif 000013
【図１３】
0003928219.tif 000014
【図１４】
0003928219.tif 000015